(57)【要約】  【課題】スネアドラムにおけるスナッピー蛇腹のコントロール技術に関し、演奏する音楽のジャンルや好みに応じてスナッピー押さえによる押さえ力を調節してサウンドを自由自在に選択的に生成可能とする。  【解決手段】ヘッド面に張設されたスナッピー蛇腹と交差する方向に取付け可能な支持手段に、スナッピー蛇腹をヘッド面側に加圧するスナッピー押さえと、ヘッド面を加圧するヘッド押さえを取付け支持してある。前記のスナッピー押さえやヘッド押さえはヘッド面方向に微動調節可能に構成されている。【選択図】          図１
2006106225.tif 000002
【特許請求の範囲】
【請求項１】
スナッピー蛇腹のコントロール手段であって、
ヘッド面に張設されたスナッピー蛇腹と交差する方向に取付け可能な支持手段に、スナッピー蛇腹をヘッド面側に加圧するスナッピー押さえを取付け支持してあることを特徴とするスネアドラム用コントローラー。
【請求項２】
前記の支持手段に、ヘッド面を加圧するヘッド押さえを取付け支持してあることを特徴とする請求項１に記載のスネアドラム用コントローラー。
【請求項３】
前記のスナッピー押さえまたはヘッド押さえがヘッド面方向の微動量を調節可能に構成されていることを特徴とする請求項１または請求項２に記載のスネアドラム用コントローラー。
【請求項４】
前記のヘッド押さえまたはスナッピー押さえの取付け位置をスライド移動できるようにスリットを前記支持手段に設けてあることを特徴とする請求項１、請求項２または請求項３に記載のスネアドラム用コントローラー。
【発明の詳細な説明】
【技術分野】
【０００１】
本発明は、打楽器であるドラムの一種であるスネアドラムにおけるスナッピーのコントロール技術に関する。
【背景技術】
【０００２】
特開昭60−12586 号公報に記載のように、胴体内に響線を配設し、これを表面側ドラムヘッドの内側面に対して選択的に接触離間させるように構成することにより、音の立ち上がり特性がよく、ｐｐ〜ｆｆまでの音を効果的に得ることができるようにしたスネアドラムが提案されている。あるいは、実開昭63−30894 号公報に記載のように、響線の張力調整を胴体外部から容易に行ない得るようにしたスネアドラムにおいて、表面側ドラムヘッドの内側面に対して胴体外部より選択的に接触離間される響線を配設することによって、音の立ち上がり特性がよく、また高い音がよく伸びるようにしたスネアドラムが開示されている。
【特許文献１】特開昭60−12586
【特許文献２】実開昭63−30894
【発明の開示】
【発明が解決しようとする課題】
【０００３】
しかしながら、このようにスネアドラムの胴体内に響線を挿入して音の特性をコントロールする構成は、胴体の構成が複雑となり、また胴体の内部を外気に開放することになり、音響効果が低下するという問題が生じる。しかも、ドラムヘッドの内側面に対して響線を選択的に接触離間させるだけであるから、コントロールできる範囲つまり響線による効果音の種類や音質が限られてしまい、豊富な音づくりができず、満足なサウンドが楽しめない。
【０００４】
本発明の技術的課題は、このような問題に着目し、スナッピーを押さえるスナッピー押さえと、ヘッド面を押さえるヘッド押さえを設けることによって、演奏する音楽のジャンルや好みに応じてスナッピー押さえの押さえ力を調節してサウンドを自由自在に選択的に生成可能とすることにある。
【課題を解決するための手段】
【０００５】
本発明の技術的課題は次のような手段によって解決される。請求項１は、スナッピーのコントロール手段であって、ヘッド面に張設されたスナッピーと交差する方向に取付け可能な支持手段に、スナッピーをヘッド面側に加圧するスナッピー押さえを取付け支持してある。このように、ヘッド面に張設されたスナッピーと交差する方向に取付け可能な支持手段を有しており、この支持手段に対し、スナッピーをヘッド面側に加圧するスナッピー押さえを取付け支持してあるため、このコントロール手段をスネアドラムに装備した状態では、ヘッド面の外側からスナッピーをヘッド面に対して押しつけることができる。その結果、スネアドラムを叩いて、ヘッド面が振動した場合に、スナッピーの全面とヘッド面との接触離間の態様が従来とは異なり、またスナッピー押さえの押さえ力を調節することによって豊富な種類と音質の効果音を発生できる。
【０００６】
請求項２は、前記の支持手段に、ヘッド面を加圧するヘッド押さえを取付け支持してあることを特徴とする請求項１に記載のスネアドラム用コントローラーである。このように、前記支持手段に、ヘッド面を加圧するヘッド押さえを取付け支持してあることによって、このコントロール手段をスネアドラムに装備した状態では、ヘッド面自体をヘッド押さえによって加圧し押さえることができるので、柔らかい音質を出すなど、異種の効果音を発生できる。そのため、前記のスナッピー押さえによってスナッピーをヘッド面に押しつけた場合との相乗効果によって、さらに豊富なサウンドが出る。
【０００７】
請求項３は、前記のスナッピー押さえまたはヘッド押さえがヘッド面方向の微動量を調節可能に構成されていることを特徴とする請求項１または請求項２に記載のスネアドラム用コントローラーである。スナッピー押さえやヘッド押さえを微動したり、微動量を調節するには、ネジ手段が適している。このように、前記のスナッピー押さえやヘッド押さえが、ヘッド面方向への微動量を調節可能に構成されているため、スナッピー押さえによるスナッピーの押さえつけ力やヘッド押さえによるヘッド面の押さえつけ力を微調節することによって、音楽のジャンルや好みに応じて自由自在にかつ高精度にサウンドをコントロールし選択できる。
【０００８】
請求項４は、前記のヘッド押さえまたはスナッピー押さえまたはスネアドラムへの取付け手段の取付け位置をスライドできるようにスリットを前記支持手段に設けてあることを特徴とする請求項１、請求項２または請求項３に記載のスネアドラム用コントローラーである。このように、前記のヘッド押さえやスナッピー押さえの取付け位置をスライドできるようにスリットを前記支持手段に設けてあるため、ヘッド押さえやスナッピー押さえの取付け位置を選択することによって、さらに豊富なサウンドを選択的に発生できる。
【０００９】
以上のように、本発明によると、サウンドの選択幅が広がるため、何種類もの音づくりが可能となり、はりの有る高音のジャズサウンドや強くたたいても耳に来ないロックのサウンドも好み次第に発生できる。もちろん、吹奏楽にも対応できる。さらに、室内で練習する場合、周囲に騒音となって悪影響を与えないよう、音を抑える場合にも有効である。
【発明の効果】
【００１０】
請求項１のように、ヘッド面に張設されたスナッピーと交差する方向に取付け可能な支持手段を有しており、この支持手段に対し、スナッピーをヘッド面側に加圧するスナッピー押さえを取付け支持してあるため、このコントロール手段をスネアドラムに装備した状態では、ヘッド面の外側からスナッピーをヘッド面に対して押しつけることができる。その結果、スネアドラムを叩いて、ヘッド面が振動した場合に、スナッピーの全面とヘッド面との接触離間の態様が従来とは異なり、またスナッピー押さえの押さえ力を調節することによって豊富な種類と音質の効果音を発生できる。
【００１１】
請求項２のように、前記支持手段に、ヘッド面を加圧するヘッド押さえを取付け支持してあることによって、このコントロール手段をスネアドラムに装備した状態では、ヘッド面自体をヘッド押さえによって加圧し押さえることができるので、異種の効果音が発生し、前記のスナッピー押さえによってスナッピーをヘッド面に押しつけた場合との相乗効果によって、より豊富なサウンドを発生できる。
【００１２】
請求項３のように、前記のスナッピー押さえやヘッド押さえが、ヘッド面方向への微動量を調節可能に構成されているため、スナッピー押さえによるスナッピーの押さえつけ力やヘッド押さえによるヘッド面の押さえつけ力を微調節することによって、音楽のジャンルや好みに応じて自由自在にかつ高精度にサウンドをコントロールし選択できる。
【００１３】
請求項４のように、前記のヘッド押さえやスナッピー押さえの取付け位置をスライドできるようにスリットを前記支持手段に設けてあるため、ヘッド押さえやスナッピー押さえの取付け位置を選択することによって、さらに豊富なサウンドを選択的に発生できる。
【００１４】
以上のように、本発明によると、サウンドの選択幅が広がるため、何種類もの音づくりが可能となり、はりの有る高音のジャズサウンドや強くたたいても耳に来ないロックのサウンドも好み次第に発生できる。もちろん、吹奏楽にも対応可能できる。さらに、スナッピーを押さえつけることによって、室内で練習する場合、周囲に騒音となって悪影響を与えないよう、音を抑えるのにも有効である。小さなライブハウス等で耳障りなスナッピーの響きを抑えるのにも適する。
【発明を実施するための最良の形態】
【００１５】
次に本発明によるスネアドラムのスナッピーコントロール手段が実際上どのように具体化されるか実施形態を説明する。図１は本発明によるコントロール手段を装備したスネアドラムを下側から見た斜視図である。１はスネアドラムの胴体であり、そのスナッピー２を装備した側のヘッド面３を下側にして演奏する。つまり、図に現れていない上側のヘッド面を叩いて演奏する。スナッピー２のスネアドラムへの取付け方は通常と特に変わりない。
【００１６】
本発明の場合は、スナッピー２と交差する方向に支持手段４を取付けてある。すなわち、支持手段４は帯板状の金属板であり、その両端と挟持板５に締めつけボルト６を挿通し、蝶ナット７を設けてある。したがって、この支持板４の両端と挟持板５との間にスネアドラム胴体１のリム部８を上下から挟んだ状態で、蝶ナット７を操作してボルト６を締めつけると、支持板４を胴体１側に取付け固定できる。
【００１７】
帯板状の支持板４には、スナッピー２を押さえるスナッピー押さえ９とヘッド押さえ１０を取付け支持してある。図２は前記の支持板４単体を示す側面図である。この図からも明らかなように、支持ボルト９Ｂの先端にスナッピー押さえ９を取付け支持してあり、支持ボルト１０Ｂの先端にヘッド押さえ１０を取付け支持してある。そして、支持ボルト９Ｂ、１０Ｂのオネジ部を支持板４のメネジ部に螺合させてあるため、支持ボルト９Ｂ、１０Ｂを回転操作することによって、スナッピー押さえ９やヘッド押さえ１０を操作して、ヘッド面３側に進出させたり、後退させたりできる。
【００１８】
支持ボルト９Ｂ、１０Ｂの先端とスナッピー押さえ９やヘッド押さえ１０とは一体に固定してあってもよいが、互いに回動自在に支持してあるだけの構造が好ましい。このように回動自在にしてあると、支持ボルト９Ｂ、１０Ｂを回転操作しても、スナッピー押さえ９やヘッド押さえ１０がヘッド面３に圧接した状態で回転するのを防止できる。支持ボルト９Ｂ、１０Ｂをコイルバネ１１に挿通して、ボルト頭と支持板４との間に介在させてあるため、支持ボルト９Ｂ、１０Ｂのオネジ部と支持板４のメネジ部との間には常時バネ圧が作用していることになり、演奏時の振動によって支持ボルト９Ｂ、１０Ｂがゆるむのを防止できる。
【００１９】
図２における鎖線３はスネアドラムのヘッド面３であり、図２の支持板４をスネアドラムに装着して、図１の状態にした場合には、スナッピー押さえ９はスナッピー２と対向する状態となる。したがって、前記のように、支持板４の両端と挟持板５と間にリム部８を挟んでボルト６を締めつけると、支持板４はヘッド面３と対向する状態で取付け固定される。そのため、演奏に際して予め支持ボルト９Ｂを操作して、スナッピー押さえ９でスナッピー２をヘッド面３に適度の圧力で押しつけた状態にしておく。同様にして、支持ボルト１０Ｂを操作してヘッド押さえ１０でヘッド面３に適度の圧力で押しつけた状態にしておく。
【００２０】
このようにして、スナッピー押さえ９やヘッド押さえ１０でスナッピー２とヘッド面３を押さえつけた状態にしてから演奏すると、スナッピー２やヘッド面３が押さえ付けられていることによって、従来とは異なったサウンドを発生できる。また、支持ボルト９Ｂ、１０Ｂを操作して、スナッピー押さえ９やヘッド押さえ１０による押さえ力を調節することによって、スナッピーによる効果音の高さや音質などを自由に選択できる。したがって、音楽のジャンルや好みに応じて自由自在にサウンドを選択できる。さらに、支持ボルト９Ｂの操作によるスナッピー押しつけ力の調節と支持ボルト１０Ｂの操作によるヘッド面押しつけ力の調節との相互作用によって、両者の相乗的な調節が可能となり、サウンドの選択幅がより広がることになる。
【００２１】
支持板４側に形成されたメネジ部に支持ボルト９Ｂ、１０Ｂのオネジ部を螺合させてあるため、スナッピー押さえ９やヘッド押さえ１０をヘッド面３方向に微動でき、かつ移動量を微調節できる。その結果、スナッピー押さえ９やヘッド押さえ１０による押さえ力も微調節できる。支持板４と支持ボルト９Ｂ、１０Ｂの頭部との間にコイルバネ１１を介在させてゆるみ止めしてあるので、微調節が狂うのを抑制できる。
【００２２】
図１のように、支持板４の両端には長手方向のスリット１２を形成し、その中に締めつけボルト６を挿通して、スリット１２中を移動可能にしてあるため、スネアドラムのリム部８の外径寸法にバラツキが有ったりしても容易に対応できる。また、締めつけボルト６の移動が容易なため、支持板４をスネアドラムに着脱する際の締めつけボルト６の操作も容易である。
【００２３】
これに対し、図１の支持板４ではヘッド押さえ１０とスナッピー押さえ９の取付け位置は固定状態となっている。そこで、図３の場合は、ヘッド押さえ１０、スナッピー押さえ９の取付け位置をスライド移動できるように、支持板４にスリット１３を形成してある。その結果、２個のヘッド押さえ１０、１０を移動して任意のヘッド面を押さえして、サウンドコントロールできる。また、スナッピー押さえ９の位置も移動して、スナッピー２上の任意の位置を押さえて、効果音をコントロールし選択できる。
【００２４】
そのほか、図２からも明らかなように、支持ボルト９Ｂ、１０Ｂをゆるめて、スナッピー押さえ９やヘッド押さえ１０をヘッド面３から浮かせば、スナッピー２やヘッド面３は従来と同様に全くフリーの状態となるので、従来と同様に本発明のコントロール手段無しのスネアドラムとして使用できる。
【００２５】
スナッピー押さえ９によるスナッピー２の押さえ面は、スポンジ状や軟質のパッドなど、あるいは軟質のゴム質など、種々の材質が考えられるが、演奏者の立場やリスナーの立場など総合的に考慮して材料を選択できる。また、ヘッド面３のヘッド面３との接触面も、軟質のゴム質や適宜な硬度の合成樹脂製など、自由に選択使用できる。
【００２６】
支持板４の両端に取付け使用する挟持板５は、締めつけボルト６を中心にして自由に回動できるため、スネアドラムの外周面に接する部位を円弧凹状面１４に形成することによって、スネアドラム側面にぴったり当接するようにしてある。
【産業上の利用可能性】
【００２７】
以上のように、スナッピー押さえでスナッピーをヘッド面に押しつけたり、ヘッド押さえでヘッド面を押さえつけたりできるので、演奏のジャンルや好みなどに応じたサウンドを発生できるので、スナッピーによる効果音の種類や音質などの選択範囲が広がり、演奏の表現が多彩となり、豊かな演奏を表現し楽しむことが可能となる。その結果、ドラム愛好家が増え、ドラム楽器の製造、流通および消費などの分野の活性化が期待できる。
【図面の簡単な説明】
【００２８】
【図１】本発明によるコントロール手段を装備したスネアドラムを下側から見た斜視図である。
【図２】スナッピー押さえなどの支持手段単体を示す側面図である。
【図３】スライド移動できるようにスリットを形成した支持手段の平面図である。
【符号の説明】
【００２９】
１  スネアドラムの胴体  
２  スナッピー  
３  ヘッド面          
４  支持手段（支持板）  
５  挟持板        
６  挟持ボルト  
７  蝶ナット  
８  リム部
９  スナッピー押さえ
９Ｂ  支持ボルト
１０  ヘッド押さえ
１０Ｂ  支持ボルト
１１  コイルスプリング
１２・１３  スリット
１４  凹円弧面
【図１】
2006106225.tif 000003
【図２】
2006106225.tif 000004
【図３】
2006106225.tif 000005
【手続補正書】
【提出日】平成17年5月12日(2005.5.12)
【手続補正１】
【補正対象書類名】図面
【補正対象項目名】図１
【補正方法】変更
【補正の内容】
【図１】
2006106225.tif 000006
【手続補正２】
【補正対象書類名】図面
【補正対象項目名】図２
【補正方法】変更
【補正の内容】
【図２】
2006106225.tif 000007
【手続補正３】
【補正対象書類名】図面
【補正対象項目名】図３
【補正方法】変更
【補正の内容】
【図３】
2006106225.tif 000008